(57)【要約】  ある実施形態において、ディスプレイアセンブリは、バックライトアセンブリと、バックライトアセンブリの第１の面に近接する第１のディスプレイパネルと、バックライトアセンブリの第１の面と対向する第２の面に近接する第２のディスプレイパネルとを備え、第１のディスプレイパネルはコントローラに通信可能に結合され、第２のディスプレイパネルはコントローラに通信可能に結合される。他の複数の実施形態も記載され得る。
2016506531.tif 000002
【特許請求の範囲】
【請求項１】
バックライトアセンブリと、
コントローラに通信可能に結合され、前記バックライトアセンブリの第１の面に近接する第１のディスプレイパネルと、
前記コントローラに通信可能に結合され、前記バックライトアセンブリの、前記第１の面と対向する第２の面に近接する第２のディスプレイパネルとを備えるディスプレイアセンブリ。
【請求項２】
バックライトアセンブリが、
バックライトパネルと、
前記バックライトパネルの第１の面に近接する第１の光抽出レイヤと、
前記第１の光抽出レイヤに近接する第１のディフューザレイヤと、
前記第１のディフューザレイヤに近接する第１の導光レイヤと、
前記バックライトパネルの第２の面に近接する第２の光抽出レイヤと、
前記第２の光抽出レイヤに近接する第２のディフューザレイヤと、
前記第２のディフューザレイヤに近接する第２の導光レイヤとを有する、請求項１に記載のディスプレイアセンブリ。
【請求項３】
前記第１のディスプレイパネルまたは前記第２のディスプレイパネルの少なくとも１つがタッチスクリーンを有する、請求項１または２に記載のディスプレイアセンブリ。
【請求項４】
さらに、前記コントローラが、前記第２のディスプレイパネルを前記第１のディスプレイパネルの拡張としてマッピングすべく構成される、請求項１から３のいずれか一項に記載のディスプレイアセンブリ。
【請求項５】
前記第２のディスプレイパネルが、前記第１のディスプレイパネルとの通信接続を介して前記コントローラに通信可能に結合される、請求項４に記載のディスプレイアセンブリ。
【請求項６】
前記第１のディスプレイパネルまたは前記第２のディスプレイパネルの少なくとも１つが液晶パネルを有する、請求項４に記載のディスプレイアセンブリ。
【請求項７】
電子コンポーネントと、
バックライトアセンブリと、
コントローラと、
前記コントローラに通信可能に結合され、前記バックライトアセンブリの第１の面に近接する第１のディスプレイパネルと、
前記コントローラに通信可能に結合され、前記バックライトアセンブリの、前記第１の面と対向する第２の面に近接する第２のディスプレイパネルとを備える電子デバイス。
【請求項８】
バックライトアセンブリが、
バックライトパネルと、
前記バックライトパネルの第１の面に近接する第１の光抽出レイヤと、
前記第１の光抽出レイヤに近接する第１のディフューザレイヤと、
前記第１のディフューザレイヤに近接する第１の導光レイヤと、
前記バックライトパネルの第２の面に近接する第２の光抽出レイヤと、
前記第２の光抽出レイヤに近接する第２のディフューザレイヤと、
前記第２のディフューザレイヤに近接する第２の導光レイヤとを有する、請求項７に記載の電子デバイス。
【請求項９】
前記第１のディスプレイパネルまたは前記第２のディスプレイパネルの少なくとも１つがタッチスクリーンを有する、請求項７または８に記載の電子デバイス。
【請求項１０】
前記コントローラが、前記第２のディスプレイパネルを前記第１のディスプレイパネルの拡張としてマッピングすべく構成される、請求項７から９のいずれか一項に記載の電子デバイス。
【請求項１１】
前記第２のディスプレイパネルが、前記第１のディスプレイパネルとの通信接続を介して前記コントローラに通信可能に結合される、請求項１０に記載の電子デバイス。
【請求項１２】
前記第１のディスプレイパネルまたは前記第２のディスプレイパネルの少なくとも１つが液晶パネルを有する、請求項１０に記載の電子デバイス。
【請求項１３】
コントローラによる実行時、
前記コントローラ内で、ディスプレイ上の複数の位置座標に対応する入力を前記ディスプレイから受信する手段と、
前記ディスプレイからの前記入力を、拡張ディスプレイ上の複数の位置座標に対応する出力に変換する手段と、
前記拡張ディスプレイ上の前記複数の位置座標に対応する前記出力を入力ドライバに転送する手段とを備える複数の操作を実行させるべく前記コントローラを構成する、コンピュータプログラム。
【請求項１４】
さらに、コントローラによる実行時、
前記コントローラ内で、前記拡張ディスプレイ上の複数の位置座標に対応する出力をグラフィックプロセッサから受信する手段と、
前記拡張ディスプレイ上の前記複数の位置座標に対応する前記出力を、前記ディスプレイ上の複数の位置座標に対応するデータに変換する手段と、
複数の位置座標に対応する前記データを前記ディスプレイに転送する手段とを備える複数の操作を実行させるべく前記コントローラを構成する、請求項１３に記載のコンピュータプログラム。
【請求項１５】
前記ディスプレイが、
バックライトアセンブリと、
前記バックライトアセンブリの第１の面に近接する第１のディスプレイパネルと、
前記バックライトアセンブリの、前記第１の面と対向する第２の面に近接する第２のディスプレイパネルとを有し、
前記第１のディスプレイパネルがコントローラに通信可能に結合され、
前記第２のディスプレイパネルが前記コントローラに通信可能に結合され、
前記第２のディスプレイパネルが、前記第１のディスプレイパネルとの通信接続を介して前記コントローラに通信可能に結合される、請求項１４に記載のコンピュータプログラム。
【請求項１６】
コントローラ内で、ディスプレイ上の複数の位置座標に対応する入力を前記ディスプレイから受信し、
前記ディスプレイからの前記入力を、拡張ディスプレイ上の複数の位置座標に対応する出力に変換し、
前記拡張ディスプレイ上の前記複数の位置座標に対応する前記出力を入力ドライバに転送するロジックを備えるコントローラ。
【請求項１７】
さらに、
前記コントローラ内で、前記拡張ディスプレイ上の複数の位置座標に対応する出力をグラフィックプロセッサから受信し、
前記拡張ディスプレイ上の前記複数の位置座標に対応する前記出力を、前記ディスプレイ上の複数の位置座標に対応するデータに変換し、
複数の位置座標に対応する前記データを前記ディスプレイに転送するロジックを備える、請求項１６に記載のコントローラ。
【請求項１８】
前記ディスプレイが、
バックライトアセンブリと、
コントローラに通信可能に結合され、前記バックライトアセンブリの第１の面に近接する第１のディスプレイパネルと、
前記コントローラに通信可能に結合され、前記バックライトアセンブリの、前記第１の面と対向する第２の面に近接する第２のディスプレイパネルとを有し、
前記第２のディスプレイパネルが、前記第１のディスプレイパネルとの通信接続を介して前記コントローラに通信可能に結合される、請求項１７に記載のコントローラ。
【発明の詳細な説明】
【技術分野】
【０００１】
本明細書に記載の発明主題は、概して複数の電子デバイスの分野に関し、具体的には複数の電子デバイス用ディスプレイアセンブリに関する。関連出願なし。
【背景技術】
【０００２】
従来、複数のラップトップコンピュータ、ノートパソコン、タブレットコンピュータといった複数の電子デバイスは単一のディスプレイを有している。状況によっては、電子デバイスに２つのディスプレイを含めると便利であろう。従って、電子商取引のための複数のディスプレイアセンブリは有用性を見出すと思われる。
【発明の概要】
【０００３】
詳細な説明は、複数の添付図面を参照して記載される。
【図面の簡単な説明】
【０００４】
【図１Ａ】いくつかの実施形態に係る複数の電子デバイスのための例示的なバックライトアセンブリの模式図である。
【図１Ｂ】いくつかの実施形態に係る複数の電子デバイスのための例示的なバックライトアセンブリの模式図である。
【図１Ｃ】いくつかの実施形態に係る複数の電子デバイスのための例示的なバックライトアセンブリの模式図である。
【図２】いくつかの実施形態に係る複数のディスプレイを含むべく適合され得る電子デバイスの高レベルな模式図である。
【図３】いくつかの実施形態に係る複数のディスプレイを含むべく適合され得る電子デバイスの高レベルな模式図である。
【図４Ａ】いくつかの実施形態に係る複数のディスプレイのための複数のアーキテクチャの模式図である。
【図４Ｂ】いくつかの実施形態に係る複数のディスプレイのための複数のアーキテクチャの模式図である。
【図５】いくつかの実施形態に係る複数のディスプレイのための複数のアーキテクチャの模式図である。
【図６】いくつかの実施形態に係る複数の電子デバイスのための複数のディスプレイを管理する方法における複数の操作を示すフローチャートである。
【図７Ａ】いくつかの実施形態に係るディスプレイの複数の位置座標を変換する方法における複数の操作を示すフローチャートである。
【図７Ｂ】いくつかの実施形態に係るディスプレイの複数の位置座標を変換する方法における複数の操作を示すフローチャートである。
【図８】いくつかの実施形態に係る複数のディスプレイを含められる電子デバイスの模式図である。
【発明を実施するための形態】
【０００５】
複数の電子デバイスに複数のディスプレイを実装するための複数の例示的なシステムおよび方法が本明細書に記載されている。本明細書のいくつかの実施形態において、第１の液晶ディスプレイ（ＬＣＤ）パネルおよび第２の液晶ディスプレイパネルは、共通のバックライトアセンブリおよび単一のディスプレイコントローラを共有すべく構成されている。ディスプレイコントローラは、第２のＬＣＤパネルからの複数の入力および第２のＬＣＤパネルへの複数の出力を仮想拡張ＬＣＤパネルにマッピングし、第２のＬＣＤパネルが第１のＬＣＤパネルの拡張として電子デバイスの他の複数のコンポーネントに対し提供されるようにする。これにより、複数の電子デバイスの他の複数のコンポーネントに対し複数の変更を加えることなく、低コストでのデュアルディスプレイアセンブリの複数の電子デバイスへの統合が可能になる。
【０００６】
以下の説明において、様々な実施形態の深い理解を提供すべく、多くの具体的な詳細が記載されている。しかしながら、具体的な詳細がなくても、様々な実施形態が実施可能であることが当業者によって理解されるだろう。  他の複数の例において、特定のいくつかの実施形態を不明瞭にしないよう、周知の複数の方法、手段、コンポーネント、および回路は詳細に図示または記載されていない。
【０００７】
図１Ａから１Ｃは、いくつかの実施形態に係る複数の電子デバイスのための例示的なバックライトアセンブリの模式図である。図１Ａから１Ｃを見ると、いくつかの実施形態において、ディスプレイアセンブリ１００は、ディスプレイコントローラ１１０、第１のＬＣＤパネル１２０、および第２のＬＣＤパネル１４０を備える。第１のＬＣＤパネル１２０は、好適な通信バス１６２を介して、ディスプレイコントローラ１１０に通信可能に結合されている。
【０００８】
第２のＬＣＤパネル１４０も、ディスプレイコントローラ１１０に結合されている。いくつかの実施形態において、第２のＬＣＤパネル１４０は第１のＬＣＤパネル１２０との通信接続を介してディスプレイコントローラ１１０に結合されてよい。例示であるが、いくつかの実施形態において、第２のＬＣＤパネルは第１のＬＣＤパネルに対し、１または複数の可撓性のあるリボンケーブル１６０で接続されてよい。
【０００９】
図１Ｂに示すように、いくつかの実施形態において、第１のＬＣＤパネル１２０および第２のＬＣＤパネル１４０がバックライトアセンブリ１７０を共有するよう、第１のＬＣＤパネル１２０はバックライトアセンブリ１７０の第１の面に近接して配置されてよく、第２のＬＣＤパネル１４０はバックライトアセンブリ１７０の第２の面に近接して配置されてよい。図１Ｂに示される実施形態では、第２のＬＣＤパネル１４０は、リボンケーブル１６０によって提供される第１のＬＣＤパネル１２０を介してディスプレイコントローラ１１０に通信可能に接続されている。代替のいくつかの実施形態において、第２のＬＣＤパネル１４０は好適な通信バスを介してディスプレイコントローラ１１０に対し、直接的な通信接続を有してよい。
【００１０】
図１Ｃは、いくつかの実施形態に係るバックライトアセンブリ１７０の概略図である。図１Ｃを参照するに、バックライトアセンブリはバックライトパネル１３０を備えてよい。光抽出レイヤ１２６、ディフューザ１２４および導光レイヤ１２２が、バックライトパネル１３０の第１の面に近接して配置される。同様に、光抽出レイヤ１４６、ディフューザ１４４および導光レイヤ１４２がバックライトパネル１３０の第２の面に近接して配置される。いくつかの実施形態において、ディフューザ１４４は、バックライトアセンブリ内の複数の発光ダイオード（ＬＥＤ）によって放射される光を偏光すべく、ポラライザとして動作してもよい。
【００１１】
第１のＬＣＤパネル１２０は、導光レイヤ１２２に隣接して配置され、第２のＬＣＤパネル１４０は導光レイヤ１４２に隣接して配置される。いくつかの実施形態において、ＬＣＤパネルは、ねじれネマティックＬＣＤ、ＩＰＳ方式ＬＣＤ、またはＶＡ方式ＬＣＤであってよく、ＴＦＴバックプレーン、ポラライザ（偏光板）、アナライザ、カラーフィルタアレイ等のディスプレイイメージ形成のための他の複数のコンポーネントを備えてよい。代替のいくつかの実施形態において、ディスプレイはＯＬＥＤディスプレイを備えてよく、ＯＬＥＤディスプレイではバックライトを必要としない。
【００１２】
図２は、いくつかの実施形態に係る、本明細書に記載のバックライトアセンブリを含むべく、適合され得る例示のシステムの模式図である。ある実施形態において、システム２００は、電子デバイス２０８およびスクリーン２０４を有するディスプレイ２０２を含む１または複数の付属の複数の入出力デバイス、１または複数のスピーカ２０６、キーボード２１０、１または複数の他のＩ／Ｏデバイス２１２、およびマウス２１４を含む。複数の他のＩ／Ｏデバイス２１２は、タッチスクリーン、音声作動式の入力デバイス、トラックボール、およびシステム２００がユーザからの入力を受信できるようにする他の任意のデバイスを含んでよい。
【００１３】
様々な実施形態において、電子デバイス２０８は、パーソナルコンピュータ、ラップトップコンピュータ、パーソナルデジタルアシスタント、携帯電話、エンターテイメントデバイス、または別のコンピューティングデバイスとして具現化されてよい。ある実施形態において、コンピューティングデバイスはさらに蓋２０７を有するハウジングを備える。
【００１４】
電子デバイス２０８は、システムハードウェア２２０およびランダムアクセスメモリおよび／または読み取り専用メモリとして実装され得るメモリ２３０を含む。ファイルストア２８０はコンピューティングデバイス２０８に通信可能に結合されてよい。ファイルストア２８０は、１または複数のハードドライブ、ＣＤ−ＲＯＭドライブ、ＤＶＤ−ＲＯＭドライブ、または複数の他のタイプのストレージデバイスのような電子デバイス２０８に内蔵されるものであってよい。ファイルストア２８０は、１または複数の外付けハードドライブ、ネットワーク接続ストレージ、または個別のストレージネットワークのような電子デバイス２０８に外付けされるものであってもよい。
【００１５】
システムハードウェア２２０は、１または複数のプロセッサ２２２、少なくとも２つのグラフィックプロセッサ２２４、複数のネットワークインタフェース２２６、および複数のバス構造２２８を含んでよい。  ある実施形態において、プロセッサ２２２は米国カリフォルニア州サンタクララにあるＩｎｔｅｌ  Ｃｏｒｐｏｒａｔｉｏｎから入手可能なＩｎｔｅｌ（登録商標）Ｃｏｒｅ２  Ｄｕｏ（登録商標）プロセッサとして具現化されてよい。本明細書で使用される用語「プロセッサ」は、限定はされないが、マイクロプロセッサ、マイクロコントローラ、複合命令セットコンピューティング（ＣＩＳＣ）マイクロプロセッサ、縮小命令セット（ＲＩＳＣ）マイクロプロセッサ、超長命令語（ＶＬＩＷ）マイクロプロセッサ、または任意の他のタイプのプロセッサ若しくは処理回路等、任意のタイプの計算要素を意味する。
【００１６】
いくつかの実施形態において、システムハードウェア２２０内の複数のプロセッサ２２２の１つは、本明細書で管理容易性エンジンとして呼ばれる、埋め込みの低電力プロセッサを備えてよい。管理容易性エンジン２２２は、独立した統合型回路として実装されてよく、あるいはさらに大型のプロセッサ２２２の専用部分であってよい。
【００１７】
グラフィックプロセッサ２２４は、複数のグラフィックおよび／または複数のビデオ操作を管理する付属のプロセッサとして機能してよい。グラフィックプロセッサ２２４は、電子デバイス２０８のマザーボード上に統合されてよく、あるいはグラフィックプロセッサ２２４は、マザーボード上の拡張スロットを介して結合されてよい。
【００１８】
ある実施形態において、ネットワークインタフェース２２６は、イーサネット（登録商標）インタフェース等の有線インタフェース（例えばＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ／ＩＥＥＥ  ８０２．３‐２００２を参照）、あるいはＩＥＥＥ８０２．１１ａ、ｂ、またはｇに準拠したインタフェース等の無線インタフェース（例えばＩＥＥＥ  Ｓｔａｎｄａｒｄ  ｆｏｒ  ＩＴ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  ＬＡＮ／ＭＡＮ  ＰａｒｔＩＩ：Ｗｉｒｅｌｅｓｓ  ＬＡＮ  Ｍｅｄｉｕｎ  Ａｃｃｅｓｓ  Ｃｏｎｔｒｏｌ（ＭＡＣ）  ａｎｄ  Ｐｈｙｓｉｃａｌ  Ｌａｙｅｒ  （ＰＨＹ）  ｓｐｅｃｉｆｉｃａｔｉｏｎｓ  Ａｍｅｎｄｍｅｎｔ  ４：Ｆｕｒｔｈｅｒ  Ｈｉｇｈｅｒ  Ｄａｔａ  Ｒａｔｅ  Ｅｘｔｅｎｓｉｏｎ  ｉｎ  ｔｈｅ  ２．４ＧＨｚ  Ｂａｎｄ，  ８０２．１１Ｇ−２００３を参照）としてよい。無線インタフェースの別の例は、ＧＰＲＳ（Ｇｅｎｅｒａｌ  Ｐａｃｋｅｔ  Ｒａｄｉｏ  Ｓｅｒｖｉｃｅ）インタフェースである（２００２年１２月発行のＧｕｉｄｅｌｉｎｅｓ  ｏｎ  ＧＰＲＳ  Ｈａｎｄｓｅｔ  Ｒｅｑｕｉｒｅｍｅｎｔｓ，Ｇｌｏｂａｌ  Ｓｙｓｔｅｍ  ｆｏｒ  Ｍｏｂｉｌｅ  Ｃｏｍｍｕｎｉｃａｔｉｏｎｓ／ＧＳＭ（登録商標）  Ａｓｓｏｃｉａｔｉｏｎ，Ｖｅｒ．３．０．１を参照）。
【００１９】
複数のバス構造２２８はシステムハードウェア２２８の様々なコンポーネントを接続する。ある実施形態において、複数のバス構造２２８は、メモリバス、周辺バスまたは外部バス、および／またはローカルバスを含む１または複数の数種のバス構造であってよい。これらバスは、限定はされないが、１１ビットバス、ＩＳＡ（Ｉｎｄｕｓｔｒｉａｌ  Ｓｔａｎｄａｒｄ  Ａｒｃｈｉｔｅｃｔｕｒｅ）、ＭＳＡ（Ｍｉｃｒｏ−Ｃｈａｎｎｅｌ  Ａｒｃｈｉｔｅｃｔｕｒｅ）、ＥＩＳＡ（Ｅｘｔｅｎｄｅｄ  ＩＳＡ）、ＩＤＥ（Ｉｎｔｅｌｌｉｇｅｎｔ  Ｄｒｉｖｅ  Ｅｌｅｃｔｒｏｎｉｃｓ）、ＶＬＢ（ＶＥＳＡ  Ｌｏｃａｌ  Ｂｕｓ）、ＰＣＩ（Ｐｅｒｉｈｅｒａｌ  Ｃｏｍｐｏｎｅｎｔ  Ｉｎｔｅｒｃｏｎｎｅｃｔ）、ＵＳＢ（Ｕｎｉｖｅｒｓａｌ  Ｓｅｒｉａｌ  Ｂｕｓ）、ＡＧＰ（Ａｄｖａｎｃｅｄ  Ｇｒａｐｈｉｃｓ  Ｐｏｒｔ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）バスおよびＳＣＳＩ（Ｓｍａｌｌ  Ｃｏｍｐｕｔｅｒ  Ｓｙｓｔｅｍｓ  Ｉｎｔｅｒｆａｃｅ）といった任意の種々の利用可能なバスアーキテクチャを使用するものである。
【００２０】
メモリ２３０は、電子デバイス２０８の複数の操作を管理するオペレーティングシステム２４０を含んでよい。ある実施形態において、オペレーティングシステム２４０は、システムハードウェア２２０に対しインタフェースを提供するハードウェアインタフェースモジュール２５４を含む。さらに、オペレーティングシステム２４０は、コンピューティングデバイス２０８の操作で使用される複数のファイルを管理するファイルシステム２５０および電子デバイス２０８上で実行する複数のプロセスを管理するプロセスコントロースサブシステム２５２を含んでよい。
【００２１】
オペレーティングシステム２４０は、リモートソースからの複数のデータパケットおよび／またはデータストリームを送受すべく、システムハードウェア２２０と連携して動作できる１または複数の通信インタフェースを含んでよい（または管理してよい）。オペレーティングシステム２４０はさらに、オペレーティングシステム２４０と、メモリ２３０に常駐する１または複数のアプリケーションモジュールとの間のインタフェースを提供するシステムコールインタフェースモジュール２４２を含んでよい。オペレーティングシステム２４０は、ＵＮＩＸ（登録商標）オペレーティングシステム若しくはその任意の派生物（Ｌｉｎｕｘ（登録商標）、Ｓｏｌａｒｉｓ等）若しくはＷｉｎｄｏｗｓ（登録商標）ブランドのオペレーティングシステム、または他の複数のオペレーティングシステムとして具現化されてよい。
【００２２】
図３は、複数の実施形態に係る本明細書に記載のバックライトアセンブリを含むべく適合され得る電子デバイス３１０の別の実施形態の模式図である。いくつかの実施形態において、電子デバイス３１０は携帯電話、パーソナルデジタルアシスタント（PDA）、ラップトップコンピュータ等として具現化されてよい。電子デバイス３１０は、複数のRF信号を送受すべくＲＦトランシーバ３２０と、ＲＦトランシーバ３２０によって受信された複数の信号を処理すべく信号処理モジュール３２２とを含んでよい。
【００２３】
ＲＦトランシーバ３２０は、Ｂｌｕｅｔｈｏｏｔｈまたは８０２．１ＩＸ．ＩＥＥＥ８０２．１１ａ、ｂ、またはｇに準拠したインタフェース（ＩＥＥＥ  Ｓｔａｎｄａｒｄ  ｆｏｒ  ＩＴ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  ＬＡＮ／ＭＡＮ  ＰａｒｔＩＩ：Ｗｉｒｅｌｅｓｓ  ＬＡＮ  Ｍｅｄｉｕｎ  Ａｃｃｅｓｓ  Ｃｏｎｔｒｏｌ（ＭＡＣ）  ａｎｄ  Ｐｈｙｓｉｃａｌ  Ｌａｙｅｒ  （ＰＨＹ）  ｓｐｅｃｉｆｉｃａｔｉｏｎｓ  Ａｍｅｎｄｍｅｎｔ  ４：Ｆｕｒｔｈｅｒ  Ｈｉｇｈｅｒ  Ｄａｔａ  Ｒａｔｅ  Ｅｘｔｅｎｓｉｏｎ  ｉｎ  ｔｈｅ  ２．４ＧＨｚ  Ｂａｎｄ，  ８０２．１１Ｇ−２００３を参照）等のプロトコルを介してローカル無線通信を実装してよい。無線インタフェースの別の例は、ＧＰＲＳ（Ｇｅｎｅｒａｌ  Ｐａｃｋｅｔ  Ｒａｄｉｏ  Ｓｅｒｖｉｃｅ）インタフェースである（２００２年１２月発行のＧｕｉｄｅｌｉｎｅｓ  ｏｎ  ＧＰＲＳ  Ｈａｎｄｓｅｔ  Ｒｅｑｕｉｒｅｍｅｎｔｓ，Ｇｌｏｂａｌ  Ｓｙｓｔｅｍ  ｆｏｒ  Ｍｏｂｉｌｅ  Ｃｏｍｍｕｎｉｃａｔｉｏｎｓ／ＧＳＭ（登録商標）  Ａｓｓｏｃｉａｔｉｏｎ，Ｖｅｒ．３．０．１を参照）。
【００２４】
電子デバイス３１０はさらに、１または複数のプロセッサ３２４およびメモリモジュール３４０を含んでよい。本明細書で使用される用語「プロセッサ」は、限定はされないが、マイクロプロセッサ、マイクロコントローラ、複合命令セットコンピューティング（ＣＩＳＣ）マイクロプロセッサ、縮小命令セット（ＲＩＳＣ）マイクロプロセッサ、超長命令語（ＶＬＩＷ）マイクロプロセッサ、または任意の他のタイプのプロセッサ若しくは処理回路等、任意のタイプの計算要素を意味する。いくつかの実施形態において、プロセッサ３２４はカリフォルニア州サンタクララにあるＩｎｔｅｌ（登録商標）  Ｃｏｒｐｏｒａｔｉｏｎから入手可能なＩｎｔｅｌ（登録商標）ＰＸＡ２７ｘプロセッサファミリの１または複数のプロセッサであってよい。あるいは、Ｉｎｔｅｌ（登録商標）のＩｔａｎｉｕｍ（登録商標）、ＸＥＯＮ（登録商標）、ＡＴＯＭ（登録商標）、Ｃｅｌｅｒｏｎ（登録商標）プロセッサ等、他の複数のＣＰＵを使用してよい。また、複数の他メーカの１または複数のプロセッサも使用し得る。さらに、これらプロセッサは、シングルコアまたはマルチコアデザインを有してよい。
【００２５】
いくつかの実施形態において、メモリモジュール３４０はランダムアクセスメモリ（RAM）を含むが、メモリモジュール３４０はダイナミックＲＡＭ（ＤＲＡＭ）、シンクロナスＤＲＡＭ（ＳＤＲＡＭ）等の他の複数のメモリタイプを使用して実装されてよい。メモリ３４０はプロセッサ３２２上で実行される１または複数のアプリケーションを備えてよい。
【００２６】
電子デバイス３１０はさらに、キーパッド３２６および１または複数のディスプレイ３２８等の１または複数の入出力インタフェースを含んでよい。いくつかの実施形態において、電子デバイス３１０は１または複数のカメラモジュール３３０およびイメージ信号プロセッサ３３２、および複数のスピーカ３３４を含む。
【００２７】
いくつかの実施形態において、２つのディスプレイは２つの個別のディスプレイとしてホストデバイスに対し提供されてよい。例示であるが、図４Ａを見ると、いくつかの実施形態において、２つのディスプレイが複数のタッチスクリーンとして具現化され得る。第１のディスプレイ４１０は、タッチスクリーンコントローラを備えてよく、第２のディスプレイ４２０は第２のタッチスクリーンコントローラを備えてよい。本明細書でノーマルモードと言う、ある操作モードにおいて、第１のディスプレイ４１０および第２のディスプレイ４２０は、ホストデバイスのオペレーティングシステムに対し、複数の個別のディスプレイとして提供されてよい。
【００２８】
いくつかの実施形態において、複数の電子デバイスは単一のタッチスクリーンのみをアクティブ化させることができる。２つのタッチスクリーンを持つ１つのディスプレイを実装すべく、これら２つのスクリーンは複数のフレームバッファを結合することで、単一のディスプレイとしてホストデバイスに対し提供される。例示であるが、図４Ｂを見ると、いくつかの実施形態において、第１のディスプレイ４１０および第２のディスプレイ４２０は単一の結合されたディスプレイ４３０としてホストデバイスのオペレーティングシステムに対し提供される。
【００２９】
図５はデュアルタッチデバイスを実装するアーキテクチャの模式図である。図５を見ると、ホストデバイス５１５はユニバーサルシリアルバス（ＵＳＢ）リンク等の好適な接続によって、タッチアダプタ５１５に結合されている。第１のタッチコントローラ５２０はタッチスクリーンセンサとして具現化されてよい第１のセンサ５２５に結合されている。同様に、第２のコントローラ５３０は第２のセンサ５３５に結合されている。
【００３０】
図６は、いくつかの実施形態に係る、複数の電子デバイスのための複数のディスプレイを管理する方法における複数の操作を示すフローチャートである。図６を見ると、操作６１０において、タッチスクリーンドライバがタッチスクリーンからの入力を受信する。操作６１５において、ディスプレイがノーマルモードで動作していない場合（ディスプレイが結合モードで動作されている等）、次にコントロールが操作６２０に渡され、タッチスクリーン入力データは仮想タッチスクリーン結合ディスプレイを介してオペレーティングシステムに送信される。
【００３１】
一方、操作６１５において、ディスプレイがノーマルモードで動作されている場合、次にコントロールが操作６３０に渡される。操作６３０において、タッチスクリーン入力がコントローラＡ５２０からのものであると、タッチスクリーンデータは仮想タッチスクリーン１を介してオペレーティングシステムに送信される（操作６３５）。一方、操作６３０において、入力がコントローラＡ５２０からのものでない場合、次にタッチスクリーンデータは仮想タッチスクリーン２を介してオペレーティングシステムに送信される（操作６４０）。
【００３２】
上記の通り、いくつかの実施形態において、ディスプレイコントローラ１１０は、第１のＬＥＤパネル１２０の拡張として第２のＬＣＤパネル１４０を提供すべく構成される。例示であるが、第１のＬＣＤパネルおよび第２のＬＣＤパネルが１９２０×１０８０ピクセルの解像度を有する場合、ディスプレイコントローラ１１０は１９２０×２１６０、あるいは３９４０×１０８０ピクセルの解像度を有する拡張ＬＣＤパネルとして、ＬＣＤパネル１２０および１４０を提供すべく構成される。いくつかの実施形態において、ディスプレイコントローラ１１０は、第２のＬＣＤパネル上の実際の複数の座標に基づく、第２のＬＣＤパネル１４０への複数の入力および第２のＬＣＤパネル１４０からの複数の出力に関連付けられた複数の位置座標を、拡張ＬＣＤパネル上の複数の座標に変換する方法を実装する。当業者は、複数のＬＣＤパネルが２５６０×１４００または３２００×１６００等の様々な解像度を有し得ることを認識するであろう。
【００３３】
図７Ａおよび７Ｂは、いくつかの実施形態に係るディスプレイの複数の位置座標を変換する方法における複数の操作を示すフローチャートである。いくつかの実施形態において、図７Ａおよび７Ｂのフローチャートに示される複数の操作は、ディスプレイコントローラ１１０によって実装されてよい。
【００３４】
図７Ａは、例示の入力位置変換方法における複数の操作を示すフローチャートである。まず図７Ａを見ると、操作７１０において、ディスプレイコントローラ１１０は第２のＬＣＤパネル１４０からの入力を受信する。例示であるが、入力はマウス、キーボード等の入力デバイスまたはタッチスクリーンでのタッチから生じてよい。操作７１５において、ディスプレイコントローラは、第２のＬＣＤパネル１４０からの複数の入力位置座標を、拡張パネル上の複数の座標にマッピングする。例示であるが、１９２０×１０８０の２つのディスプレイが１９２０×２１６０の解像度を持つ単一の拡張ディスプレイとして提供されている実施形態においては、ディスプレイコントローラは拡張ディスプレイ上の行位置を取得すべく、第２のディスプレイ上の行位置座標に１０８０を追加してよい。複数のディスプレイは垂直方向に結合されているので、列位置座標は同一のままである。当業者は、複数の異なる解像度を持つ複数のＬＣＤパネルに対し、同様の複数のマッピング変換が実行され得ることを認識するであろう。操作７２０において、ディスプレイコントローラは複数の変換された位置座標を電子デバイス上の１または複数の入力ドライバに転送する。
【００３５】
図７Ｂは例示的な出力位置座標の変換方法の複数の操作を示すフローチャートである。図７Ｂを見ると、操作７４０において、ディスプレイコントローラ１１０は図２に示されるグラフィックプロセッサ２２４等のグラフィックプロセッサからの入力を受信する。上記の通り、ディスプレイコントローラ１１０はＬＣＤパネル１２０、１４０を単一の拡張ディスプレイとして提供する。よって、グラフィックコントローラからの入力は拡張ディスプレイにマッピングされる。操作７４５において、ディスプレイコントローラはグラフィックコントローラ２２４から受信された複数の位置座標を第２のディスプレイにマッピングする。例示であるが、１９２０×１０８０の２つのディスプレイが１９２０×２１６０の解像度を持つ単一の拡張ディスプレイとして提供されている実施形態においては、ディスプレイコントローラは、第２のディスプレイ上の行位置を取得すべく、拡張ディスプレイ上の行位置座標から１０８０を差し引いてよい。繰り返しになるが、複数のディスプレイは垂直方向に結合されているので、列位置座標は同一のままである。当業者は、複数の異なる解像度の複数のＬＣＤパネルに対し、同様の複数のマッピング変換が実行され得ることを認識するであろう。操作７５０において、ディスプレイコントローラは複数の変換された位置座標をディスプレイに転送する。
【００３６】
上記の通り、いくつかの実施形態において、電子デバイスはコンピュータシステムとして具現化されてよい。図８は、いくつかの実施形態に係るコンピュータシステム８００の模式図である。コンピュータシステム８００は、コンピューティングデバイス８０２および電源アダプタ８０４（コンピューティングデバイス８０２に電力を供給すべく）を含む。コンピューティングデバイス８０２は、ラップトップ（またはノートパソコン）コンピュータ、パーソナルデジタルアシスタント、デスクトップコンピューティングデバイス（ワークステーションまたはデスクトップコンピュータ等）、ラックマウント型コンピューティングデバイス等の任意の好適なコンピューティングデバイスであってよい。
【００３７】
電力は、次の１または複数のソースから、コンピューティングデバイス８０２の様々なコンポーネントに供給されてよい（例えば、コンピューティングデバイス電力供給８０６を介して）。具体的には、１または複数のバッテリパック、交流（AC）アウトレット（例えばトランスおよび／または電源アダプタ８０４等のアダプタを介して）、複数の自動車用電源、複数の航空機用電源等である。いくつかの実施形態において、電源アダプタ８０４は、電力供給ソース出力（約１１０VACから２４０VACのAC出力電圧等）を、約７VDCから１２．６VDCの範囲の直流（DC）電圧に変換してよい。従って、電源アダプタ８０４はAC／DCアダプタであってよい。
【００３８】
コンピューティングデバイス８０２はまた、１または複数のＣＰＵ８０８を含んでよい。いくつかの実施形態において、ＣＰＵ８０８は、カリフォルニア州サンタクララのＩｎｔｅｌ（登録商標）  Ｃｏｒｐｏｒａｔｉｏｎから入手可能な、Ｐｅｎｔｉｕｍ（登録商標）ＩＩプロセッサファミリ、複数のＰｅｎｔｉｕｍ（登録商標）ＩＩＩプロセッサ、Ｐｅｎｔｉｕｍ（登録商標）ＩＶ、複数のＣＯＲＥ２  Ｄｕｏプロセッサ、または複数のＡｔｏｍプロセッサを含むＰｅｎｔｉｕｍ（登録商標）ファミリプロセッサの、１または複数のプロセッサであってよい。あるいは、Ｉｎｔｅｌ（登録商標）のＩｔａｎｉｕｍ（登録商標）、ＸＥＯＮ（登録商標）、およびＣｅｌｅｒｏｎ（登録商標）の複数のプロセッサのような他の複数のＣＰＵが使用されてよい。また、他の複数のメーカの１または複数のプロセッサが使用されてよい。さらに、複数のプロセッサはシングルコアまたはマルチコアデザインを有してよい。
【００３９】
チップセット８１２がＣＰＵ８０８に結合または統合されてよい。チップセット８１２はメモリコントロールハブ（ＭＣＨ）８１４を含んでよい。ＭＣＨ８１４は、メインシステムメモリ８１８に結合されるメモリコントローラ８１６を含んでよい。メインシステムメモリ８１８は、ＣＰＵ８０８、あるいはシステム８００に含まれる任意のデバイスによって実行されるデータおよび複数の命令のシーケンスを格納する。いくつかの実施形態において、メインシステムメモリ８１８はランダムアクセスメモリ（ＲＡＭ）を含むが、メインシステムメモリ８１８はダイナミックＲＡＭ（ＤＲＡＭ）、シンクロナスＤＲＡＭ（ＳＤＲＡＭ）等の他の複数のメモリタイプを使用して実装されてよい。また複数のＣＰＵおよび／または複数のシステムメモリ等、追加の複数のデバイスがバス８１０に結合されてよい。
【００４０】
ＭＣＨ８１４は、グラフィックアクセラレータ８２２に結合されたグラフィックインタフェース８２０も含んでよい。いくつかの実施形態において、グラフィックインタフェース８２０はアクセラレイティッドグラフィックスポート（ＡＧＰ）を介して、グラフィックアクセラレータ８２２に結合される。いくつかの実施形態において、ディスプレイ（フラットパネルディスプレイ等）８４０は、ビデオメモリまたはシステムメモリ等のストレージデバイスに格納されたイメージのデジタル表現を、ディスプレイによって解釈および表示される複数のディスプレイ信号に変換する信号変換器等を介して、グラフィックインタフェース８２０に結合されてよい。ディスプレイデバイスによって生成されるディスプレイ８４０の複数の信号は、様々な制御デバイスを介して渡された後、ディスプレイによって解釈され、その後ディスプレイ上に表示されることになる。
【００４１】
ハブインタフェース８２４はＭＣＨ８１４をプラットフォームコントロールハブ（ＰＣＨ）８２６に結合する。ＰＣＨ８２６はコンピュータシステム８００に結合された複数の入出力（Ｉ／Ｏ）デバイスへのインタフェースを提供する。ＰＣＨ８２６はＰＣＩ（Ｐｅｒｉｆｅｒａｌ  Ｃｏｍｐｏｎｅｎｔ  Ｉｎｔｅｒｃｏｎｎｅｃｔ）バスに結合されてよい。従って、ＰＣＨ８２６はＰＣＩバス８３０へのインタフェースを提供するＰＣＩブリッジ８２８を含む。ＰＣＩブリッジ８２８はＣＰＵ８０８と複数の周辺機器との間のデータパスを提供する。さらに、カリフォルニア州サンタクララにあるＩｎｔｅｌ（登録商標）  Ｃｏｒｐｏｒａｔｉｏｎから入手可能なＰＣＩ  Ｅｘｐｒｅｓｓ（登録商標）アーキテクチャ等の他の複数のタイプの入出力相互接続トポロジを使用してよい。
【００４２】
ＰＣＩバス８３０はオーディオデバイス８３２および１または複数のディスクドライブ８３４に結合されてよい。他の複数のデバイスがＰＣＩバス８３０に結合されてよい。また、ＣＰＵ８０８およびＭＣＨ８１４を組み合わせて、単一のチップを形成してよい。さらに、他の複数の実施形態において、グラフィックアクセラレータ８２２がＭＣＨ８１４内に含まれてよい。
【００４３】
また、様々な実施形態において、ＰＣＨ８２６に結合された他の複数の周辺機器は、ＩＤＥまたはＳＣＳＩのハードドライブ、ＵＳＢポート、キーボード、マウス、パラレルポート、シリアルポート、フロッピー（登録商標）ディスクドライブ、デジタルアウトプットサポート（例えばＤＶＩ（Ｄｉｇｉｔａｌ  Ｖｉｄｅｏ  Ｉｎｔｅｒｆａｃｅ））等を含んでよい。従って、コンピューティングデバイス８０２は揮発性および／または不揮発性のメモリを含んでよい。
【００４４】
本明細書で言う「複数のロジック命令」という用語は、１または複数の論理操作を実行する、１または複数のマシンによって理解され得る複数の表現を指す。例えば、複数のロジック命令は、１または複数のデータオブジェクトに対し、１または複数の操作を実行する、プロセッサコンパイラによって解釈可能な複数の命令を備えてよい。しかしながら、これは複数の機械可読命令および実施形態の一例にすぎず、この点に限定されない。
【００４５】
本明細書で言う「コンピュータ可読媒体」という用語は、１または複数のマシンによって理解可能な複数の表現を維持可能な媒体を指す。例えば、コンピュータ可読媒体は複数のコンピュータ可読命令またはデータを格納する、１または複数のストレージデバイスを備えてよい。そのような複数のストレージデバイスは、例えば、光学ストレージ媒体、磁気ストレージ媒体、または半導体ストレージ媒体等のストレージ媒体を備えてよい。しかしながら、これはコンピュータ可読媒体および複数の実施形態の一例にすぎず、この点に限定されない。
【００４６】
本明細書で言う「ロジック」という用語は、１または複数の論理操作を実行する構造を指す。例えば、ロジックは１または複数の入力信号に基づく１または複数の出力信号を提供する回路を備えてよい。そのような回路は、デジタル入力を受信し、デジタル出力を提供する有限状態機械、あるいは１または複数のアナログ入力信号に応じて１または複数のアナログ出力信号を提供する回路を備えてよい。そのような回路は、特定用途向け集積回路（ＡＳＩＣ）またはフィールドプログラマブルゲートアレイ（ＦＰＧＡ）に提供されてよい。また、ロジックはそのような複数の機械可読命令を実行するための処理回路と組み合わされたメモリ内に格納された複数の機械可読命令を備えてよい。しかしながら、これらは、ロジックおよび複数の実施形態を提供し得る複数の構造のいくつかの例にすぎず、この点に限定されない。
【００４７】
本明細書に記載の複数の方法の一部は、コンピュータ可読媒体上の複数のロジック命令として具現化されてよい。複数のロジック命令はプロセッサ上での実行時、プロセッサに対し、本明細書に記載の複数の方法を実施する、特殊目的の機械としてプログラムされるようにする。プロセッサが本明細書に記載の複数の方法を実行すべく複数のロジック命令によって構成されると、プロセッサは本明細書に記載の複数の方法を実行する構造を構成する。あるいは、本明細書に記載の複数の方法は、フィールドプログラマブルゲートアレイ（ＦＰＧＡ）、特定用途向け集積回路（ＡＳＩＣ）上のロジックに縮小可能である。
【００４８】
詳細な説明および特許請求の範囲において、「結合された」および「接続された」という用語がそれらの派生語とともに、使用される可能性がある。特定の複数の実施形態において、「接続された」は、２又は２より多い要素が、互いに直接物理的に、または電気的に接触状態にあることを示すべく使用され得る。「結合された」は、２または２より多い要素が直接物理的に、または電気的に接触状態にあることを意味する可能性がある。しかしながら、「結合された」は、２または２より多い要素が互いに直接接触していないものの、互いに連携またはやり取りし得ることを意味する可能性もある。
【００４９】
明細書内の「ある実施形態」または「いくつかの実施形態」という言及は、当該実施形態に関連して記載された特定の機能、構造、または特性が少なくとも１つの実装に含まれることを意味する。本明細書の様々な箇所に現れる「ある実施形態」という表現は、すべてが同一の実施形態を指してもよいし、指さなくてもよい。
【００５０】
複数の実施形態が、複数の構造的特徴および／または複数の方法論的行為に特有の文言で記載されているものの、特許請求の範囲に係る発明主題は、記載された当該複数の特定の特徴または行為に限定される可能性はないことが理解されるべきである。むしろ、当該複数の特定の特徴または行為は、特許請求の範囲に係る発明主題を実装するための複数のサンプル形式として開示されている。
【図１Ａ】
2016506531.tif 000003
【図１Ｂ】
2016506531.tif 000004
【図１Ｃ】
2016506531.tif 000005
【図２】
2016506531.tif 000006
【図３】
2016506531.tif 000007
【図４Ａ】
2016506531.tif 000008
【図４Ｂ】
2016506531.tif 000009
【図５】
2016506531.tif 000010
【図６】
2016506531.tif 000011
【図７Ａ】
2016506531.tif 000012
【図７Ｂ】
2016506531.tif 000013
【図８】
2016506531.tif 000014
【国際調査報告】
2016506531.tif 000015
2016506531.tif 000016